(57)【要約】【課題】マスクに容易に着脱することができ、異物が目に入ったりまつ毛等が食品などに混入したりするのを防止できるアイガードおよびアイガード付きマスクを提供する。【解決手段】アイガード１２が、透明なシートから成り、それぞれマスク本体１１の左右の耳掛け紐１１ａを挿入して固定するための１対の切込部１２ａを有している。マスク本体１１の使用時にマスク本体１１にアイガード１２を固定することにより、アイガード１２で両目を被覆可能である。各切込部１２ａに対してマスク本体１１の耳掛け紐１１ａを挿入したり取り外したりすることにより、アイガード１２をマスク本体１１に着脱可能になっている。【選択図】図１
0003162641.tif 000002
【実用新案登録請求の範囲】
【請求項１】
耳掛け紐を左右に有するマスクに取り付けて使用されるアイガードであって、透明なシートから成り、マスクに固定して両目を被覆可能に、マスクの各耳掛け紐をそれぞれ挿入して固定するための１対の切込部を有することを、特徴とするアイガード。
【請求項２】
請求項１記載のアイガードと、耳掛け紐を左右に有するマスクとを有し、前記アイガードで両目を被覆可能に、各切込部に各耳掛け紐をそれぞれ挿入することにより前記マスクに前記アイガードを着脱可能に固定して成ることを、特徴とするアイガード付きマスク。
【考案の詳細な説明】
【技術分野】
【０００１】
本考案は、アイガードおよびアイガード付きマスクに関する。
【背景技術】
【０００２】
殺虫剤や除草剤、浴室や窓ガラス用の洗剤などの薬剤を使用するときや、脱穀作業や木材等の切断、植物の伐採等を行うとき、薬剤の跳ね返りや切りカスなどが入らないよう、鼻や口をマスクで覆い、目をゴーグルで覆って作業を行うのが一般的である。食品製造工場では、まつ毛や眉毛が食品に混入しないよう目や眉を覆うゴーグルを付けて作業を行うところも多い。また、簡易に目を覆いたい場合には、透明シートから成るアイカバーを収納可能に備えたマスク（例えば、特許文献１参照）や、透明シートをボタンや面ファスナーで着脱可能に取り付けたマスクが使用されている。
【先行技術文献】
【特許文献】
【０００３】
【特許文献１】特開２００５−３１９２６４号公報
【考案の概要】
【考案が解決しようとする課題】
【０００４】
しかしながら、特許文献１に記載のアイカバー付きマスクでは、アイカバーをマスクと分離できないため、アイカバーがまだ使用できるときでも、マスクと一緒にアイカバーも廃棄せざるを得ないという課題があった。また、透明シートをボタンや面ファスナーで着脱可能なマスクでは、外れたボタンや面ファスナーに付いたゴミなどが目に入る危険性があるという課題があった。
【０００５】
本考案は、このような課題に着目してなされたもので、マスクに容易に着脱することができ、異物が目に入ったりまつ毛等が食品などに混入したりするのを防止できるアイガードおよびアイガード付きマスクを提供することを目的とする。
【課題を解決するための手段】
【０００６】
上記目的を達成するために、本考案に係るアイガードは、耳掛け紐を左右に有するマスクに取り付けて使用されるアイガードであって、透明なシートから成り、マスクに固定して両目を被覆可能に、マスクの各耳掛け紐をそれぞれ挿入して固定するための１対の切込部を有することを、特徴とする。
【０００７】
本考案に係るアイガードは、１対の切込部にそれぞれマスクの左右の耳掛け紐を挿入することにより、マスクに固定することができる。マスクの使用時にマスクに固定することにより、両目を覆うことができる。アイガードは透明なシートから成るため、視界を遮らず、ほこりやウイルス、薬剤の跳ね返りや切りカス等の飛んでくるものが目に入るのを防ぐことができる。また、食品製造工場や調理場などで使用する場合、まつげや目のゴミなどが落ちて食品等に混入するのを防ぐこともできる。
【０００８】
本考案に係るアイガードは、各切込部にマスクの耳掛け紐を挿入するだけで、容易にマスクに取り付けることができる。また、各切込部から耳掛け紐を取り外すだけで、容易にマスクから取り外すことができる。このように、マスクに容易に着脱することができる。ボタンなどの付属物や、面ファスナーのようにゴミなどが付着しやすいものを使用していないため、これらの付属物やゴミなどの異物が目に入る危険性がなく、安全性が高い。本考案に係るアイガードは、例えばポリエチレンシートなど、透明なシートであればいかなる素材から成っていてもよい。また、使用時にくもって視界を遮らないよう、くもり止め処理が施されていてもよい。本考案に係るアイガードは、マスクと顔との間に挟まれても、マスクを顔に当ててマスクの外側に設けられてもよい。
【０００９】
本考案に係るアイガード付きマスクは、本考案に係るアイガードと、耳掛け紐を左右に有するマスクとを有し、前記アイガードで両目を被覆可能に、各切込部に各耳掛け紐をそれぞれ挿入することにより前記マスクに前記アイガードを着脱可能に固定して成ることを、特徴とする。
【００１０】
本考案に係るアイガード付きマスクは、本考案に係るアイガードを着脱可能に固定して成るため、使用時にアイガードで両目を覆うことができる。このとき、アイガードが透明なシートから成るため、視界を遮らず、ほこりやウイルス、薬剤の跳ね返りや切りカス等の飛んでくるものが目に入るのを防ぐことができる。また、食品製造工場や調理場などで使用する場合、まつげや目のゴミなどが落ちて食品等に混入するのを防ぐこともできる。
【００１１】
本考案に係るアイガード付きマスクは、アイガードを容易に着脱することができる。アイガードを取り付けるとき、ボタンなどの付属物や、面ファスナーのようにゴミなどが付着しやすいものを使用しないため、これらの付属物やゴミなどの異物が目に入る危険性がなく、安全性が高い。本考案に係るアイガード付きマスクは、アイガードがマスクと顔との間に挟まれても、マスクを顔に当ててアイガードがマスクの外側に設けられてもよい。
【考案の効果】
【００１２】
本考案によれば、マスクに容易に着脱することができ、異物が目に入ったりまつ毛等が食品などに混入したりするのを防止できるアイガードおよびアイガード付きマスクを提供することができる。
【図面の簡単な説明】
【００１３】
【図１】本考案の実施の形態の（ａ）アイガードを示す正面図、（ｂ）アイガード付きマスクを示す背面図である。
【図２】本考案の他の実施の形態のアイガードを示す正面図である。
【図３】本考案のさらに他の実施の形態のアイガードを示す正面図である。
【考案を実施するための形態】
【００１４】
以下、図面に基づき本考案の実施の形態について説明する。
図１は、本考案の実施の形態のアイガード付きマスクを示している。
図１（ａ），（ｂ）に示すように、アイガード付きマスク１０は、マスク本体１１とアイガード１２とを有している。
【００１５】
図１（ｂ）に示すように、マスク本体１１は、ウイルスや花粉などをほぼ防ぐことができる市販の使い捨てマスクから成り、左右両端に耳掛け紐１１ａを有している。
【００１６】
図１に示すように、アイガード１２は、ポリエチレン製の透明なシートから成り、横長の形状を成している。アイガード１２は、両端が三角形状に外側に突出しており、概ね六角形状を成している。アイガード１２は、マスク本体１１の横幅よりも長い横幅、および、マスク本体１１の縦幅よりも長い縦幅を有している。アイガード１２は、両端下部に、内側に向かってやや上向きに設けられた１対の切込部１２ａを有している。各切込部１２ａの最深部には、耳掛け紐１１ａの径に合せた丸穴１２ｂが形成されている。また、アイガード１２の縁の各切込部１２ａの入口には、耳掛け紐１１ａの挿入を容易にする三角形の切欠１２ｃが形成されている。アイガード１２は、各切込部１２ａの最深部の丸穴１２ｂを結ぶ間隔が、マスク本体１１の左右の耳掛け紐１１ａの取付間隔とほぼ同じ長さを有している。アイガード１２は、各切込部１２ａに、マスク本体１１の左右の耳掛け紐１１ａを、耳掛け紐１１ａの上部の取付位置付近でそれぞれ挿入して固定可能になっている。また、アイガード１２は、下端中央に、左右に立体的に湾曲できるようにするためのスリット１３を有している。アイガード付きマスク１０は、アイガード１２に対しマスク本体１１が外側に設けられ、アイガード１２がマスク１２と顔との間に挟まれるようになっている。
【００１７】
次に、作用について説明する。
アイガード付きマスク１０は、マスク本体１１の使用時にマスク本体１１にアイガード１２を固定することにより、アイガード１２で両目を覆うことができる。アイガード付きマスク１０は、アイガード１２が透明なシートから成るため、視界を遮らず、ほこりやウイルス、薬剤の跳ね返りや切りカス等の飛んでくるものが目に入るのを防ぐことができる。草刈機で草刈りしたり、脱穀機で脱穀したりするときにも、回転刃で跳ねた石や飛び散った籾殻が目に入るのを防ぐことができる。また、食品製造工場や調理場などで使用する場合、まつげや目のゴミなどが落ちて食品等に混入するのを防ぐこともできる。
【００１８】
アイガード付きマスク１０は、アイガード１２の各切込部１２ａにマスク本体１１の耳掛け紐１１ａを挿入するだけで、アイガード１２をマスク本体１１に容易に取り付けることができる。また、各切込部１２ａから耳掛け紐１１ａを取り外すだけで、アイガード１２をマスク本体１１から容易に取り外すことができる。このように、アイガード１２をマスク本体１１に容易に着脱することができる。アイガード１２を取り付けるとき、ボタンなどの付属物や、面ファスナーのようにゴミなどが付着しやすいものを使用しないため、これらの付属物やゴミなどの異物が目に入る危険性がなく、安全性が高い。
【００１９】
図２は、本考案の他の実施の形態のアイガードを示している。なお、図１に示すアイガードと同一の部位には同一の符号を付し、重複した説明を省略する。
図２に示すように、アイガード１４は、各切込部１２ａの最深部の丸穴１２ｂからさらに上側に折れ曲がった切込部１４ａを有し、切込部１４ａの端部に耳掛け紐１１ａの径に合せた丸穴１４ｂが形成されている。また、各切込部１２ａの上側に各切込部１２ａとほぼ平行に伸びる切込部１４ｃを有している。各切込部１４ｃの最深部には耳掛け紐１１ａの径に合せた丸穴１４ｄが設けられ、アイガード１４の側縁の各切込部１４ｃの入口には、耳掛け紐１１ａの挿入を容易にする三角形の切欠１４ｅが形成されている。
図２に示すアイガード１４では、マスク本体１１を顔に当ててアイガード１４をマスク本体１１の外側に設けることができる。アイガード１４にマスクを取り付ければ、アイガード付きマスクとなる。
【００２０】
図３は、本考案のさらに他の実施の形態のアイガードを示している。なお、図１に示すアイガードと同一の部位には同一の符号を付し、重複した説明を省略する。
図３に示すように、アイガード１５は、左右の下縁から上側に伸びる２本の切込部１５ａを有している。各切込部１５ａの最深部には耳掛け紐１１ａの径に合せた丸穴１５ｂが設けられ、アイガード１５の下縁の各切込部１５ａの入口には、耳掛け紐１１ａの挿入を容易にする三角形の切欠１５ｃが形成されている。丸穴１５ｂの位置は、図１に示すアイガード１２の丸穴１２ｂと同じ位置である。
図３に示すアイガード１５では、マスク本体１１を顔に当ててアイガード１５をマスク本体１１の外側に設けることができる。アイガード１５にマスクを取り付ければ、アイガード付きマスクとなる。
【符号の説明】
【００２１】
１０  アイガード付きマスク
１１  マスク本体
１１ａ  耳掛け紐
１２  アイガード
１２ａ  切込部
１３  スリット
【図１】
0003162641.tif 000003
【図２】
0003162641.tif 000004
【図３】
0003162641.tif 000005